(57)【要約】      （修正有）【課題】一般の仏壇に使用することができるコンパクトな仏壇用灯りを提供する。【解決手段】仏壇用灯りＡは、奥行きの浅い基体１を備えている。基体の前方には減光部３が設けられている。基体、または、基体と減光部との間、には光源７が設けられている。また、仏壇用灯りは仏壇の開いた扉に直接的または間接的に係止される被係止部４２を備えている。仏壇の周囲に配置するスペースがない場合であっても、仏壇に取り付けることができる。また、基本的な外形が奥行きの浅い基体で規定されているため、嵩張らない灯りとなり、仏壇の扉等に取り付けても邪魔になりにくい。【選択図】図１
0003224157.tif 000002
【実用新案登録請求の範囲】
【請求項１】
仏壇に取り付けられる仏壇用灯りであって、
奥行きの浅い基体と、
前記基体の前方に設けられた減光部と、
前記基体、または、前記基体と前記減光部との間、に設けられた光源と、
前記仏壇の開いた扉に直接的または間接的に係止される被係止部と、を備えたことを特徴とする仏壇用灯り。
【請求項２】
前記基体から前方に突出し、前記減光部を直接的または間接的に支持する支持体を備え、
前記光源は前記支持体に設けられていることを特徴とする請求項１に記載された仏壇用灯り。
【請求項３】
前記基体は少なくとも前方に開口が形成され、前記光源は前記基体の内側に設けられ、前記減光部は前記基体に支持されていることを特徴とする請求項１に記載された仏壇用灯り。
【考案の詳細な説明】
【技術分野】
【０００１】
本考案は、仏壇に灯す仏壇用灯り、特に仏壇に取り付け可能な仏壇用灯りに関する。
【背景技術】
【０００２】
近年、住宅事情等の理由から仏壇の小型化が進んでおり、タンスなどの家具の上に設置できるコンパクトな仏壇が普及している。通常、法事等の際には、仏壇の前には提灯や行灯等の灯りが灯されるが、このようなコンパクトな仏壇を設置している場所では仏壇の前に提灯や行灯等を置くことが困難な場合がある。そのような課題を解決するために、特許文献１，２のような提案がなされている。
【０００３】
特許文献１では、仏壇の天板下の支輪部分に設けられた挿入孔に対して提灯掛けを引き出し自在に挿入し、その提灯掛けに提灯を掛けることが提案されている。
【０００４】
また、特許文献２は、火袋を設置する下台と、吊り下げ支柱と、を備え、吊り下げ支柱で下台を支承し、吊り下げ支柱の上部に仏壇の扉に掛ける吊り下げ具を備えた仏壇用照明装置を提案している。
【先行技術文献】
【特許文献】
【０００５】
【特許文献１】特開２０１５−１１２３０９号公報
【特許文献２】特開２０１７−１１３０９７号公報
【考案の概要】
【考案が解決しようとする課題】
【０００６】
上述した特許文献１，２では、提灯等を仏壇の前に置くのではなく、仏壇本体に掛けることにより、仏壇の前に提灯等を置けない場合であっても、仏壇を提灯で照らすことができる。しかしながら、特許文献１では、仏壇に挿入孔を設ける必要があるため、挿入孔が形成された仏壇を購入するか、既にある仏壇に挿入孔をあけなければならない。そのため、既存の一般的な仏壇には容易に適用することができない。
【０００７】
一方、特許文献２では、一般的な仏壇に使用することができるため、特許文献１のような課題は生じない。しかしながら、特許文献２の仏壇用照明装置では、下台に電気ローソク留め孔とコード孔とを設ける必要があり、また、自立させるための脚を設ける必要があるため、前後方向の長さを大きくしなければならない。そのため、仏壇の前への迫り出しが大きくなり、仏壇の設置場所によっては邪魔になる場合がある。
【０００８】
本考案は上記課題に鑑みてなされたものであり、その目的は、一般的なサイズの仏壇のみならずコンパクトな仏壇にも使用することができるコンパクトな仏壇用灯りもしくは薄くて嵩張らない灯りを提供することにある。
【課題を解決するための手段】
【０００９】
上記課題を解決するための本考案に係る、仏壇に取り付けられる仏壇用灯りは、奥行きの浅い基体１と、基体１の前方に設けられた減光部３と、基体１、または、基体１と減光部３との間、に設けられた光源７と、仏壇Ｂの開いた扉Ｄに直接的または間接的に係止される被係止部４２と、を備えている。
【００１０】
基体１から前方に突出し、減光部３を直接的または間接的に支持する支持体２を備え、光源７は支持体２に設けられるようにしてもよい。
【００１１】
基体１は少なくとも前方に開口が形成され、光源７は基体１の内側に設けられ、減光部３は基体１に支持されているようにしてもよい。
【考案の効果】
【００１２】
本考案に係る仏壇用灯りでは、被係止部によって仏壇に取り付けることができる。そのため、仏壇の周囲に配置するスペースがない場合であっても、仏壇に取り付けることができる。また、基本的な外形が奥行きの浅い基体で規定されているため、前方への突出量が小さく、薄く成形することができる。そのため、嵩張らない灯りとなり、仏壇の扉等に取り付けても邪魔になりにくい。よって、コンパクトな仏壇のみならず一般的なサイズの仏壇にも使用することができる。
【００１３】
基体と減光部とを繋ぐ支持体に光源を設けているため、光源を電球等とした場合に、電球を発光させるための電気回路を電球よりも後ろの枠体に配置することができる。それにより、電気回路の配置の自由度を高めることができる。
【００１４】
基体の前方に開口が形成され、光源を基体の内部に配置し、減光部を基体に支持させていれば、仏壇用灯り全体の厚みが略基体の厚みと同一となり、厚みを薄くすることができる。
【図面の簡単な説明】
【００１５】
【図１】（ａ）仏壇用灯りの正面図、（ｂ）仏壇用灯りの左側面図、（ｃ）仏壇用灯りの背面図である。
【図２】（ａ）仏壇の扉を締めた状態の正面図、（ｂ）仏壇の扉を開けた状態の正面図である。
【図３】フックの斜視図である。
【図４】（ａ）仏壇の扉にフックを取り付けた状態の右側面図、（ｂ）フックに仏壇用灯りを取り付ける動作を表す斜視図である。
【図５】（ａ）フックに仏壇用灯りを取り付けた状態の仏壇の正面図、（ｂ）フックに仏壇用灯りを取り付けた状態の仏壇の右側面図である。
【図６】別実施形態における仏壇用灯りの斜視図である。
【考案を実施するための形態】
【００１６】
以下に図面を用いて、本考案に係る仏壇用灯りの実施形態を説明する。図１（ａ），（ｂ）および（ｃ）はそれぞれ、本実施形態における仏壇用灯りの正面図、左側面図および背面図である。図に示すように、本実施形態における仏壇用灯りＡは、枠体１（本考案における基体の例）と、前板３と、背板４と、により、外観が構成されている。
【００１７】
枠体１は、正面視形状が縦長の長方形であり、前面および背面が開口している。図１（ｂ）に示すように、この枠体１の奥行きは縦方向の長さに比べて非常に小さくなっている。枠体１の素材としては、形状が保持でき、他の部材を支持できるものであれば、樹脂、紙、金属等、様々なものを用いることができる。
【００１８】
枠体１の前面の開口の上端と下端には支持体２が設けられている。支持体２は、横長の直方体で、枠体１の前面よりも前方に突出するように設けられている。なお、２つの支持体２を区別する必要がある際には、上側を支持体２ａ、下側を支持体２ｂと表記する。
【００１９】
支持体２ｂの上面の幅方向中央には、上方に突出するようにソケット６が設けられており、このソケット６には電球７（本考案における光源の例）が取り付けられている。ソケット６には、図示しない電気回路が接続されており、図示しない電源からの電力が供給されている。電球７としては、ＬＥＤ電球をはじめとして、様々な電球を使用することができる。また、電源としては電池や商用電源を使用することができる。なお、電気回路や電池は支持体２ｂの内部や、枠体１の開口部分に形成された空間に配置することができる。ちなみに、この実施形態では、基体と減光部とを繋ぐ支持体に光源を設けておき、光源を電球等とした場合に、電球を発光させるための電気回路を電球よりも後ろの枠体に配置することができる。それにより、電気回路の配置の自由度を高めることができる。
【００２０】
前板３は、枠体１の正面視形状よりも少し小さな長方形の板状部材である。前板３の背面は一対の支持体２に支持されている。本実施形態では前板３として和紙を用いているが、光を少なくとも部分的に透過するものであれば前板３として使用することができる。そのため、前板３は電球７からの光を部分的に透過し、本考案における減光部として機能する。また、前板３に、光を遮断するように図柄を描いておけば、前板３の背後からの放射される電球７からの光によって図柄を浮かび上がらせることができるため、好ましい。
【００２１】
前板３の前面には、正面視形状が前板３と同一の保護板５が設けられている。本実施形態では、保護板５は光をほぼ全透過する透明の樹脂板であり、前板３を破損等から保護している。なお、保護板５を、光を部分的に透過するようにし、本考案における減光部として機能させることもできる。また、保護板５として例えば、表面凹凸のある乱反射拡散板を用いれば、保護板５全体を光らせることができる。
【００２２】
図１（ｃ）に示すように、枠体１の背面には開口を塞ぐように背板４が設けられている。背板４の下方には、円形のアクセス孔４１が形成されている。このアクセス孔４１を介して枠体１の開口内部にアクセスすることができ、例えば、電球７の交換等を行うことができる。一方、背板４の上方には小円と大円とが重なった形状の被支持孔４２が形成されている。後述するように、この被支持孔４２に対してフック９を引っ掛けることにより、仏壇用灯りＡを仏壇Ｂの取り付けることができる。したがって、本実施形態では、被支持孔４２が本考案の被係止部として機能する。
【００２３】
枠体１の左側面にはプッシュ型のスイッチ８が設けられている。スイッチ８を一度押すと、スイッチ８は半突出姿勢となり、電球７に通電し、電球７を点灯させることができる。もう一度スイッチ８を押すと、スイッチ８は全突出姿勢に復元し、電球７への通電が遮断され、電球７を消灯させることができる。
【００２４】
図２は仏壇用灯りＡの使用対象となる仏壇Ｂの例を示している。この仏壇Ｂはタンスなどの家具の上に置けるようなコンパクトなものであり、前面に２枚の扉Ｄを備えている。図２（ｂ）に示すように、２枚の扉Ｄは観音開きとなるように仏壇Ｂの本体に取り付けられている。なお、本来仏壇Ｂの内部には位牌、仏画等の掛け軸、仏具等が収められているが、図ではこれらは省略している。
【００２５】
図３は、仏壇用灯りＡを仏壇Ｂに取り付ける際に使用するフック９の斜視図である。フック９は、前面当接部９１、上縁当接部９２、ねじ支持部９３を備えている。前面当接部９１、上縁当接部９２、ねじ支持部９３はいずれも、長方形板状部材である。前面当接部９１の長手方向の一方の端部から、上縁当接部９２が延設されており、前面当接部９１の長手軸と上縁当接部９２の長手軸とは直交している。また、上縁当接部９２のもう一方の端部からは、ねじ支持部９３が前面当接部９１と同じ側に延設されており、上縁当接部９２の長手軸と、ねじ支持部９３の長手軸とは直交している。
【００２６】
前面当接部９１の自由端側には、外方上向きに傾斜した爪９４が立設されている。したがって、爪９４と前面当接部９１との間の角度は鋭角となっている。
【００２７】
ねじ支持部９３には図示しないねじ穴が形成されており、そのねじ穴に対してねじ９５のねじ本体９５ｂが挿通されている。ねじ本体９５ｂの端部にはつまみとしてのねじ頭９５ａが設けられており、ねじ頭９５ａを回すことにより、前面当接部９１に対してねじ本体９５ｂを進退させることができる。すなわち、ねじ９５の回転により、ねじ本体９５ｂの先端と前面当接部９１の内側面との距離を変更することができる。これにより、取り付ける仏壇Ｂの扉Ｄの厚みが異なっていても、フック９を確実に固定することができる。このとき、仏壇Ｂの扉Ｄを傷めないように、ねじ本体９５ｂの先端に樹脂製のキャップ９５ｃが嵌められている。
【００２８】
フック９は金属や樹脂等、様々な素材で形成することができる。金属の場合には、上述のような形状に打ち抜かれた金属板を、プレス成形することより、フック９を製造することができる。
【００２９】
図４は、仏壇用灯りＡを仏壇Ｂの扉に取り付ける際の動作を示した図である。図４（ａ）は仏壇Ｂの右側面図である。仏壇用灯りＡは開いた状態の扉Ｄに取り付けるものであるため、この図では、扉Ｄは図２（ｂ）に示したような開いた状態となっている。このように開いた各々の扉Ｄの上縁に、フック９の前面当接部９１とねじ支持部９３とで扉Ｄを挟むように、フック９を載置する。このとき、キャップ９５ｃの先端と前面当接部９１の内面との距離が、扉Ｄの厚みよりも大きくなるように、予めねじ９５を後退させておき、フック９を載置した後に、キャップ９５ｃが前面当接部９１の内面に当接するまでねじ９５を前面当接部９１側に進出させる。これにより、フック９を扉Ｄに固定する。
【００３０】
次に、このようにして扉Ｄに固定されたフック９に対して仏壇用灯りＡを取り付ける。具体的には、図４（ｂ）に示すように、フック９の爪９４に対して、仏壇用灯りＡの被支持孔４２を引っ掛けるように、仏壇用灯りＡを扉Ｄ側に移動させる。なお、この図では、フック９と仏壇用灯りＡとの関係を分かりやすくするために、仏壇Ｂを省略している。図５は、このようにして仏壇用灯りＡが扉Ｄに取り付けられた状態を表している。図５（ｂ）に示すように、本考案に係る仏壇用灯りＡでは、前方への突出量を小さくできるため、仏壇Ｂの設置スペースが狭い場合であっても、仏壇用灯りＡは邪魔になりにくい。また、仏壇の安定を損なうほどの重心変位もきたさない。なお、フック９により間接的に支持しているが、扉の内面に爪を植設しておき、直接支持させておくようにしてもよい（図示せず）。
【００３１】
図６に示すように仏壇用灯りＡを自立させることも可能である。この例では、直方体状の基台１００に長手軸方向の溝（図示せず）を形成し、その溝に枠体１の下端部を挿入することにより、仏壇用灯りＡをスタンド１００を介して自立させている。なお、溝の幅は枠体１の厚みと略同一であり、溝の深さは枠体１の下端から前板３の下端までの距離以下としている。この自立形式も可能であれば、扉に懸架できる灯りＡを仏壇前もしくは横に残っている狭いスペースにスタンドを介して直か置きすることもできる。
【００３２】
仏壇用灯りＡを自立させるための構成はこれに限定されるものではなく、脚を設ける等、様々な構成とすることができる。
【００３３】
〔別実施形態〕
（１）上述の実施形態では、懸架式および直か置き式が可能となると説明した。その際、枠体１は平面視形状を長方形としたが、これに限定されるものではなく、円形、楕円形、多角形、提灯の正面視形状等、様々なものとすることができる。
【００３４】
（２）上述の実施形態では、電球７を下側の支持体２ｂの上面に配置したが、枠体１の内部等、他の位置に配置しても構わない。例えば、上側の支持体２ａの下面に配置したり、枠体１の下側の枠組みの上に配置したりしても構わない。後者の場合には、支持体２を設けず、前板３を直接枠体１に支持させる構成とすることもできる。
【００３５】
（３）上述の実施形態では、背板４形成された被支持孔４２に、仏壇Ｂの扉Ｄに支持されたフック９の爪９４を引っかけることにより仏壇用灯りＡを支持したが、他の構成によって、仏壇用灯りＡを仏壇Ｂに支持させても構わない。例えば、仏壇用灯りＡ自体に、仏壇Ｂの扉Ｄの上縁に係止されるフックを設けることもできる。この場合には、このフックが本考案における被係止部に相当する。また、フック９も、上述の形状に限定されず、仏壇用灯りＡを仏壇Ｂの扉Ｄに固定できるものであれば様々な形状のものを用いることができる。
【００３６】
（４）上述の実施形態では、光源として電球７を用いたが、蝋燭等の電力を使用しない光源を用いることもできる。この場合には、ソケット６に代えて、蝋燭等を固定する部材を設ければよい。
【００３７】
（５）上述の実施形態では、仏壇用灯りＡは仏壇Ｂの扉Ｄに取り付けたり仏壇横などの空きスペースに設置したが、仏壇Ｂの内部の仏画掛けやその他の仏壇Ｂの部分に固定しても構わない。
【００３８】
（６）上述の実施形態では、基体を枠体１としたが、光源７を支持体２に設ける場合には、基体を板状部材等、他の形状の部材を基体とすることもできる。
【産業上の利用可能性】
【００３９】
本考案は、仏壇の扉等に固定する仏壇用灯りに利用することができる。
【符号の説明】
【００４０】
Ａ：仏壇用灯り  Ｂ：仏壇  Ｄ：扉  １：枠体（基体）  ２，２ａ，２ｂ：支持体  ３：前板（減光部）  ４：背板  ４２：被支持孔（被係止部）  ７：電球（光源）。
【図１】
0003224157.tif 000003
【図２】
0003224157.tif 000004
【図３】
0003224157.tif 000005
【図４】
0003224157.tif 000006
【図５】
0003224157.tif 000007
【図６】
0003224157.tif 000008